(57)【要約】      （修正有）【課題】膜の面積が大きい場合でも、高周波数で良質の音を生成することができる動電型ラウドスピーカの提供する。【解決手段】動電型ラウドスピーカ１０が、固定フレーム１２に接続された固定基部１４と、軸Ａ−Ａ′に沿って固定基部１４に対して軸方向に移動可能な可動部１６とを備えるモータと、その凸面が、ラウドスピーカ１０の外側に向けられる凸状膜１８と、凸状膜１８と可動部１６とを接続するトラス２０と、を備える。トラス２０は、放射状柱５０によって互いに接続された同軸の内側リング４６および外側リング４８と、可動部１６の端部５３に固定するための冠状部５２とを備える。凸状膜１８は、内側リングおよび外側リング４６、４８を圧迫するように固定される。【選択図】図１
2020078062.tif 000002
【特許請求の範囲】
【請求項１】
動電型ラウドスピーカ（１０）であって、
−固定フレーム（１２）と、
−前記固定フレーム（１２）に接続された固定基部（１４）と、軸（Ａ−Ａ′）に沿って前記固定基部（１４）に対して軸方向に移動可能な可動部（１６）とを備えるモータと、
−凸状膜（１８）であって、その凸面は前記ラウドスピーカ（１０）の外側に向けられる凸状膜（１８）と、
−前記凸状膜（１８）と前記可動部（１６）とを接続するトラス（２０）と、を具備する動電型ラウドスピーカ（１０）において、
前記トラス（２０）は、放射状柱（５０）によって互いに接続された同軸の内側リング（４６）および外側リング（４８）と、前記可動部（１６）の１つの端部（５３）に固定するための冠状部（５２）とを具備し、前記凸状膜（１８）は前記内側リングおよび前記外側リング（４６、４８）を圧迫するように固定されることを特徴とする、動電型ラウドスピーカ（１０）。
【請求項２】
前記凸状膜（１８）は周縁部（４４）を有し、前記外側リング（４８）は前記凸状膜（１８）の前記周縁部（４４）に直接固定される、請求項１に記載の動電型ラウドスピーカ（１０）。
【請求項３】
前記トラス（２０）は、前記放射状柱（５０）に固定されて前記内側リングおよび外側リング（４６、４８）の反対側に軸方向に延びる軸方向スカート（５４）を具備する、請求項１または２に記載の電磁ラウドスピーカ（１０）。
【請求項４】
固定用の前記冠状部（５２）は、前記可動部（１６）の前記端部（５３）を受容する溝（５８）を具備し、前記可動部（１６）は、有利には、前記受容溝（５８）に接着される、請求項１〜３のいずれか１項に記載の電磁ラウドスピーカ（１０）。
【請求項５】
前記トラス（２０）は、前記軸（Ａ−Ａ′）周りにそれぞれ１８０°にわたって延びる第１および第２の前方板（６２、６３）を有し、前記トラス（２０）の前記第１の前方板（６２）は、前記可動部（１６）を給電編組（６５）に接続する少なくとも１つの導電ストリップ（６４）をさらに備え、前記トラス（２０）の前記第２の前方板（６３）にはそのような導電性ストリップがない、請求項１〜４のいずれか１項に記載の電磁ラウドスピーカ（１０）。
【請求項６】
前記導電性ストリップ（６４）は、前記給電編組（６５）を受容するように構成された端部ラグ（９６）を具備する、請求項５に記載の電磁ラウドスピーカ（１０）。
【請求項７】
前記導電性ストリップ（６４）は、前記トラス（２０）の本質的に平行な２つの面（６８、７０、７６、７８）の間に受容され、前記導電性ストリップ（６４）は、内面に、前記トラス（２０）の前記面の１つを圧迫する突起（９８、１０２）を具備し、前記導電性ストリップ（６４）は前記トラス（２０）の他の面をその他の面に沿って圧迫する、請求項５または６に記載の電磁ラウドスピーカ（１０）。
【請求項８】
前記導電性ストリップ（６４）は、前記導電性ストリップ（６４）が前記ラウドスピーカ（１０）の軸（Ａ−Ａ′）の方向に沿って前記凸状膜（１８）からを離れる方向に移動するのを防止するために、前記トラス（２０）を貫通するように構成された少なくとも１つの阻止突出部（１０４）を具備する、請求項５〜７のいずれか１項に記載の電磁ラウドスピーカ（１０）。
【請求項９】
前記放射状柱（５０）は角度的に分布し、放射状柱（５０）の密度は、前記トラス（２０）の前記第１の前方板（６２）よりも前記トラス（２０）の前記第２の前方板（６３）の方が大きくなる、請求項５〜８のいずれか１項に記載の電磁ラウドスピーカ（１０）。
【請求項１０】
前記固定フレーム（１２）と前記軸方向スカート（５４）の自由端（５７）との間に挿入された弾性案内リング（５６）を備える、請求項３に記載の電磁ラウドスピーカ（１０）。
【発明の詳細な説明】
【技術分野】
【０００１】
本発明は動電型ラウドスピーカに関する。この動電型ラウドスピーカは、
−固定フレームと、
−固定フレームに接続された固定基部と、軸に沿って固定基部に対して軸方向に移動可能な可動部とを備えるモータと、
−凸状膜であって、その凸面はラウドスピーカの外側に向けられる凸状膜と、
−凸状膜と可動部とを接続するトラスと、を備えるタイプのものである。
【背景技術】
【０００２】
そのようなラウドスピーカは、一般に電気信号から音を生成するために使用される。凸状膜の面積を増大させると、ラウドスピーカによって生成される音の音量が増大することが知られている。
【０００３】
硬質膜と、凸面が外側を向いたドーム形状とを有するラウドスピーカが知られている。ドームは、ドームの中央位置に配置された接続リングに沿ってコイル保持管の端部に固定される。
【０００４】
しかし、そのようなラウドスピーカは充分に満足できるものではない。ラウドスピーカによって生成される音の周波数が高い場合、例えば、約５００Ｈｚ、特に５５０Ｈｚに近い場合、共鳴モードが膜によって生成されることがある。このような共鳴モードは、ラウドスピーカによって生成される音の品質を低下させる。
【発明の概要】
【０００５】
本発明の１つの目的は、膜の面積が大きい場合でも、高周波数で良質の音を生成することができるラウドスピーカを提案することである。
【０００６】
その目的のために、本発明は、上記のタイプの動電型ラウドスピーカに関する。このタイプでは、トラスは、放射状の柱と、可動部の一端に固定するための冠状部とによって互いに接続される同軸の内側リングおよび外側リングを備える。凸状膜は、内側リングと外側リングとを圧迫した状態で固定される。
【０００７】
特定の実施形態によれば、ラウドスピーカは、単独で考慮されるか、技術的に可能な組み合わせに従って考慮される以下の特徴のうちの１つ以上を備える。
−凸状膜は周縁部を有し、外側リングは凸状膜の周縁部に直接固定される。
−トラスは、放射状柱に固定されて内側リングおよび外側リングの反対側に軸方向に延びる軸方向スカートを備える。
−固定用の冠状部は、可動部の端部を受容する溝を備え、可動部は、有利には、受容溝に接着される。
−トラスは、軸周りにそれぞれ１８０°にわたって延びる第１および第２の前方板を有し、トラスの第１の前方板は、可動部を給電編組に接続する少なくとも１つの導電性ストリップをさらに備え、トラスの第２の前方板にはそのような導電性ストリップがない。
−導電性ストリップは、給電編組を受容するように構成された端部ラグを備える。
−導電性ストリップは、トラスの本質的に平行な２つの面の間に受容され、導電性ストリップは、内面に、トラスの面の１つを圧迫する突起を備え、導電性ストリップはトラスの他の面を他の面に沿って圧迫する。
−導電性ストリップは、導電性ストリップがラウドスピーカの軸の方向に沿って凸状膜から離れる方向に移動するのを防止するために、トラスを貫通するように構成された少なくとも１つの阻止突出部を備える。
−放射状柱は角度的に分布し、放射状柱の密度は、トラスの第１の前方板よりもトラスの第２の前方板の方が大きくなる。
−動電型ラウドスピーカは、固定フレームと軸方向スカートの自由端との間に挿入された弾性案内リングを備える。
【図面の簡単な説明】
【０００８】
本発明は、単に例として提供され、添付の図面を参照して実施される以下の説明を読むことにより、さらに良好に理解されるであろう。
【図１】本発明によるラウドスピーカの断面図であって、断面は、ラウドスピーカの軸を通る平面に沿ったものである断面図。
【図２】凸状膜と固定フレームとを備えていない状態の図１に示すラウドスピーカの断面図。
【図３】本発明によるラウドスピーカのトラスの上面図。
【図４】本発明による導電性ストリップの斜視図。
【図５】図４の導電性ストリップの正面図。
【図６】凸状膜と固定フレームとを備えていない状態の図１に示すラウドスピーカの斜視図。
【発明を実施するための形態】
【０００９】
以下の説明では、「前方」および「後方」という表現は、ラウドスピーカからの音の主な伝搬方向を参照して理解される必要がある。前方方向はラウドスピーカの外側に対応し、後方方向はラウドスピーカの内側に対応する。
【００１０】
図１は、動電型ラウドスピーカ１０を示す。有利には、軸Ａ−Ａ′回りに実質的に回転する。
【００１１】
ラウドスピーカ１０は、固定フレーム１２と、固定フレーム１２に接続された固定基部１４を備えるモータと、固定基部１４に対して軸方向に移動可能な可動部１６と、を備える。
【００１２】
ラウドスピーカ１０はこのほか、凸状膜１８と、凸状膜１８と可動部１６とを接続するトラス２０と、を備える。
【００１３】
固定フレーム１２はこのほか、「バスケットアセンブリ」と呼ばれる。固定フレームは、底部２８と、底部２８を接続する周壁３０とを備える。
【００１４】
周壁３０は、軸Ａ−Ａ′を有してラウドスピーカ１０の前方に向かって広がった円錐台形状を有する。
【００１５】
図示の本発明の実施形態では、固定基部１４は、磁石３５が配置されたヨーク３４を備える。ヨーク３４は少なくとも１つの空隙３６を形成する。
【００１６】
可動部１６は、軸Ａ−Ａ′を有する円筒状コイル保持具４１であって、外面に可動コイル４２が巻かれた保持具を備える。
【００１７】
可動コイル４２は空隙３６に配置される。
【００１８】
可動コイル４２は図示の平衡位置周りで軸Ａ−Ａ′に沿って振動することができる。
【００１９】
以下の説明では、「軸方向」という記載は、軸Ａ−Ａ′に沿った方向を指し、「半径方向」という方向は、軸Ａ−Ａ′に直交する方向を指す。
【００２０】
凸状膜１８は、上記スピーカ１０の外側に向けられた凸面を有する。凸状膜１８は、球状のキャップ形状またはドーム形状を有する。
【００２１】
凸状膜１８は周縁部４４を有する。周縁部４４は、軸Ａ−Ａ′を中心とする実質的に円形の形状を有する。
【００２２】
図１及び図２を参照すると、トラス２０は軸Ａ−Ａ′を概ね有する（軸Ａ−Ａ′は図１および図３に示される）。トラス２０は、内側リング４６と、外側リング４８と、内側リング４６と外側リング４８を接続する複数の放射状柱５０と、を備える。
【００２３】
トラス２０はこのほか、コイル保持具４１の一端部５３に固定するための冠状部５２のほか、弾性案内リング５６に接続するための軸方向スカート５４を備える。弾性案内リングの外周は固定フレーム１２に接続される。
【００２４】
トラス２０は、プラスチック材料を金型に注入することにより形成されるため、一体型部材である。
【００２５】
弾性案内リング５６は一般に「スパイダー」と呼ばれる。弾性案内リングは、周壁３０と軸方向スカート５４の自由端５７との間に挿入される。弾性案内リングは、軸方向スカート５４を支持することが意図され、軸方向スカート５４を使用して、固定フレーム１２上にトラスアセンブリ２０および凸状膜１８を支持することが意図される。
【００２６】
弾性案内リング５６は軸Ａ−Ａ′周りに延在する。弾性案内リングは半径方向平面に延在する。
【００２７】
内側リング４６と外側リング４８とは同軸である。外側リング４８は、内側リング４６よりも大きな直径を有する。
【００２８】
凸状膜１８は、接着によって内側リング４６および外側リング４８を圧迫するように機械的に固定される。
【００２９】
外側リング４８は、凸状膜１８の周縁部４４に直接固定される。
【００３０】
放射状柱５０は、軸Ａ−Ａ′周りに角度的に分布している。放射状柱はそれぞれ、外側リング４８と固定冠状部５２との間に延在する。
【００３１】
固定冠状部５２は、内側リング４６の直径よりも小さい直径を有する。
【００３２】
固定冠状部５２は、可動部１６のコイル保持具４１の端部５３が受容される受容溝５８を備える。有利には、受容溝５８はコイル保持具４１に接着される。
【００３３】
軸方向スカート５４は放射状柱５０に固定される。軸方向スカートは、放射状柱５０から自由端５７まで突出し、内側リング４６および外側リング４８の反対側に軸方向に延びる。軸方向スカートは、軸Ａ−Ａ′に実質的に平行に延び、軸Ａ−Ａ′を取り囲んでいる。
【００３４】
軸方向スカート５４は、内側リング４６の直径と外側リング４８の直径との間にある直径を有する。
【００３５】
トラス２０は、軸Ａ−Ａ′を通る平面Ｂ−Ｂ′によって分離された第１の前方板６２及び第２の前方板６３を有する。図３に示すように、放射状柱５０の密度は、トラス２０の第１の前方板６２よりもトラス２０の第２の前方板６３の方が大きい。
【００３６】
トラス２０の第１の前方板６２はこのほか、少なくとも２つの導電性ストリップ６４を備える。導電性ストリップ６４は、可動部１６の可動コイル４２を給電編組６５に接続する。各導電性ストリップ６４は放射状柱５０に受容される。各導電性ストリップは、この放射状柱５０を通過し、軸方向スカート５４内に延びる。
【００３７】
この目的のために、図２に示すように、トラス２０の第１の前方板６２では、少なくとも１つの放射状柱５０が、軸Ａ−Ａ′に実質的に平行に延びる軸方向スリット６６を備える。軸方向スリット６６は、ラウドスピーカの軸Ａ−Ａ′から離れる方向に向けられた第１の面６８と、軸Ａ−Ａ′に向けられた第２の面７０とを備える。軸方向スリット６６の第２の面７０は第１の面６８に本質的に平行である。
【００３８】
トラス２０の第１の前方板６２では、軸方向スカート５４は、軸Ａ−Ａ′に実質的に平行に延びる軸方向スリット７４を備える。軸方向スリット７４は、軸Ａ−Ａ′から離れる方向に向けられた第１の表面７６と、軸Ａ−Ａ′の方に向けられた第２の表面７８とを備える。軸方向スリット７４の第２の表面７８は第１の表面７６と本質的に平行である。
【００３９】
図４および図５に示すように、導電性ストリップ６４は薄型形状を有する。導電性ストリップは、有利には、銅から作成される。
【００４０】
導電性ストリップ６４は、直交する半径方向セグメント９２によって互いに軸方向に接続された２つの維持セグメント８８、９０を有する。維持セグメント８８は半径方向接続セグメント９４まで延びる。次に、この半径方向接続セグメント９４は、コイル保持具４１によって担持されて可動コイル４２を延長させる接続タブ９５に、溶接によって接続される。
【００４１】
維持セグメント９０は、編組６５が溶接される端部ラグ９６によって延長される。
【００４２】
維持セグメント８８、９０はそれぞれ、軸方向スリット６６および軸方向スリット７４に受容される。
【００４３】
維持セグメント８８、９０はそれぞれ、その内面に、軸方向スリット６６の第１の面６８、軸方向スリット７４の第１の表面７６をそれぞれ圧迫する少なくとも１つの第１の突起９８、少なくとも１つの第２の突起１０２を備える。維持セグメント８８の外面、維持セグメント９０の外面はそれぞれ、軸方向スリット６６の第２の面７０、軸方向スリット７４の第２の表面７８を圧迫する。
【００４４】
このほか、維持セグメント８８、９０はそれぞれ、導電性ストリップ６４が軸方向に沿って凸状膜１８に向かって移動するのを防ぐために、トラス２０を貫通するように構成された少なくとも１つの阻止突出部１０４を備える。
【００４５】
維持セグメント８８は、導電性ストリップ６４が軸方向に沿って凸状膜１８から離れるように移動するのを防ぐために、トラス２０と協働するように構成された肩部１０６をさらに備える。
【００４６】
このため、阻止突出部１０４および肩部１０６は共同で、軸方向に沿って導電性ストリップ６４の位置を留める。
【００４７】
維持セグメント９０は、トラス２０に対して距離を置いて保持される肩部１０８をさらに備える。肩部１０８およびトラス２０は、その間に実質的に０．８ｍｍに等しい非ゼロ遊びを有する。この遊びは、導電性ストリップ６４の著しい低下を引き起こす可能性のあるトラス２０のいかなる変形の発生中にも、肩部１０８がトラス２０に当接するのを特に防ぐ。
【００４８】
端部ラグ９６は、給電編組６５を受容するように構成される。端部ラグは、有利には、Ｕ字形の底部に向かって収束するＵ字形状を有して給電編組６５を維持する。
【００４９】
トラス２０は、ラウドスピーカ１０を組み立てる間に編組６５を一時的に阻止するための２つの止め具１１０（そのうちの１つが図６に示される）を、２つの放射状柱５０の基部に備える。止め具１１０は、ラウドスピーカ１０の固定フレーム１２に取り付けられる前に、トラス２０および凸状膜１８を装備した可動部１６の操作中に、編組６５が保持される溝を放射状柱５０と共に形成する。
【００５０】
トラス２０の第２の前方板６３では、放射状柱５０には軸方向スリットがなく、軸方向スカート５４には軸方向のスリットがない。トラス２０の第２の前方板６３にも導電性ストリップ６４がない。
【００５１】
トラス２０の第１および第２の前方板６２、６３の非対称構成により、第１の前方板６２の放射状柱５０は、第１の前方板６３に配置された導電性ストリップ６４の重量を補償することができる。これにより、第１および第２の前方板６２、６３が実質的に同一の重量を有し、良好な平衡特性を有するラウドスピーカ１０を得ることが可能になる。
【００５２】
ラウドスピーカ１０は、凸状膜１８の弾性緩衝シール１１２をさらに備える。
【００５３】
弾性緩衝シール１１２は、周壁３０の上端を、外側リング４８の近傍にて軸方向スカート５４に接続する。弾性緩衝シール１１２は、弾性案内リング５６よりも軸方向にて凸状膜１８に近い位置に配置される。
【００５４】
弾性緩衝シール１１２は軸Ａ−Ａ′周りに延在する。この弾性緩衝シールは半径方向平面に延在する。弾性緩衝シール１１２は、軸Ａ−Ａ′を通る平面に沿った断面にて、Ω形状を有する。Ωの凸部は、軸方向にてラウドスピーカ１０の背面の方を向いている。
【００５５】
弾性緩衝シール１１２は気密である。
【００５６】
上記の本発明により、凸状膜１８を堅固に固定すると、望ましくない共鳴モードを低減することが可能になるため、生成される音が高い周波数を有する場合のラウドスピーカ１０の性能が改善される。
【００５７】
さらに、導電性ストリップ６４により、可動部１６に対する給電編組６５の位置をさらに良好に維持することが可能になり、ラウドスピーカ１０に電気エネルギーを供給するために過度に長い編組６５を供給する必要がなくなる。
【図１】
2020078062.tif 000003
【図２】
2020078062.tif 000004
【図３】
2020078062.tif 000005
【図４】
2020078062.tif 000006
【図５】
2020078062.tif 000007
【図６】
2020078062.tif 000008
【外国語明細書】
2020078062000001.pdf